(57)【要約】      （修正有）【課題】ミストを細かくでき空調機内の濡れを防ぎ、かつポンプも不要であり、また、容易にスプレー量を制御できるサイフォン式二流体ノズルを用いた空調機における加湿装置を提供する。【解決手段】水が供給されるボールタップ付給水タンク１と、圧縮空気が比例制御弁４を介し供給され、かつボールタップ付給水タンク１の水が給水配管２を介し吸い上げられ供給されるサイフォン式二流体噴霧ノズル３とを備え、圧縮空気が二流体噴霧ノズル３のノズル先端のオリフィス通過時に水配管２内の水が吸い上げられ、細かいミストとなりノズルからスプレーされる構成とした。そして、この場合、比例制御弁４は、湿度センサ６からの計測信号によって弁４ａの開度量制御され、圧縮空気を二流体噴霧ノズル３に送り込むなどの構成とした。【選択図】図１
0003218246.tif 000002
【実用新案登録請求の範囲】
【請求項１】
水が供給されるボールタップ付給水タンク１と、圧縮空気が比例制御弁４を介し供給され、かつ前記ボールタップ付き給水配管２を介し吸い上げられ供給されるサイフォン式二流体噴霧ノズル３とを備え、前記圧縮空気が前記二流体噴霧ノズル３のノズル先端のオリフィス通過時に前記水配管２内の水が吸い上げられ、細かいミストとなり前記ノズルからスプレーされることを特徴とするサイフォン式二流体噴霧ノズル装置。
【請求項２】
請求項１記載のサイフォン式二流体噴霧ノズルを用いた空調機における加湿装置において、前記比例制御弁４は、湿度センサ６からの計測信号によって弁４ａの開度量が制御され、圧縮空気を前記二流体噴霧ノズル３に送り込むことを特徴とするサイフォン式二流体噴霧ノズル装置。
【請求項３】
請求項１記載のサイフォン式二流体噴霧ノズルを用いた空調機における加湿装置において、前記サイフォン式二流体噴霧ノズル３と前記ボールタップ付タンク１の水面との距離を変更可能としたことを特徴とするサイフォン式二流体噴霧ノズル装置。
【請求項４】
請求項１記載のサイフォン式二流体噴霧ノズルを用いた空調機における加湿装置において、前記ボールタップは定水位弁を備えた水位調整機能付きとしたことを特徴とするサイフォン式二流体噴霧装置。
【請求項５】
請求項１記載のサイフォン式二流体噴霧ノズルを用いた空調機における加湿装置において、前記二流体噴霧ノズル３のスプレー方向は空気の流れにのせてスプレーするように配設されたことを特徴とするサイフォン式二流体噴霧装置。
【請求項６】
請求項１記載のサイフォン式二流体噴霧ノズル３を用いた空調機における加湿装置において、前記二流体噴霧ノズル３の下流側に安全対策用のエリミネータ７Ａを設けたことを特徴とするサイフォン式二流体噴霧ノズル装置。
【考案の詳細な説明】
【技術分野】
【０００１】
この考案は、空調機において、サイフォン式二流体噴霧ノズルを用いた空調機における加湿装置に関する。
【背景技術】
【０００２】
従来、空調機における加湿装置としては次のようなものがある。
１、一流体ノズルを用いたもの。
２、蒸気を用いたもの。
３、加圧式二流体ノズルを用いたもの。
【０００３】
一流体ノズルを使用しての加湿の場合、次のような問題があった。
ａ、ポンプを用いているため、その設置スペースを必要とし、かつ設置の手間も要する。
ｂ、噴霧ノズルのスプレー量を減らしたい場合、水圧を下げるのでスプレーするミストの粒子径が粗くなり、空調機内部が濡れてしまう。
ｃ、停止時に配管内の残圧によりノズルから粗い粒子径のミストがスプレーされてしまい、この点からも空調機内部が濡れてしまう。
ｄ、一流体ノズルのものは二流体ノズルのものに比べミストの粒子径が粗いため、蒸発しにくく、スプレー量の約２０％しか加湿に寄与せず効率が悪い。よって空調機内部を濡らしてしまうのと、ドレンとして排水しなければならない。
【０００４】
蒸気加湿の場合は次のような問題がある。
ａ、ボイラーを使用するため、重油の使用、メンテナンス、法的点検整備費等が必要になる。
ｂ、蒸気で室内温度が暑くなる傾向から冷房用のエアコンに負荷がかかる。
【０００５】
これら一流体ノズル、蒸気を用いたものに対し加圧式二流ノズルを用いたものがある。
【先行技術文献】
【特許文献】
【０００６】
【特許文献１】特公平３−１４８５４
【特許文献２】特開２０１１−５２９００
【特許文献３】特開２００５−０６９４９６
【特許文献４】特開２００５−０６９４９７
【０００７】
二流体ノズルを用いたものとしては、例えば特公平３−１４８５４（特許文献１），特開２０１１−５２９００（特許文献２），特開２００５−０６９４９６（特許文献３）および特開２００５−０６９４９７（特許文献４）等がある。
【０００８】
特許文献１は空調用水加湿方法および装置にかかり、この特許文献１では、エアワッシャ、二流体式ノズル、および蒸気加湿器を組み合わせ、水噴霧方式を中心とし、エアワッシャあるいは蒸気加湿器のいずれか一方を二流体式ノズルと組み合わせて使用するようにしている。
【０００９】
特許文献２では、水供給装置から二流体ノズルに水を供給し、かつ二流体ノズルの気体供給器にコンプレッサを用いて高圧の空気を供給し、二流体ノズルから水を噴出させる際に高圧の加圧空気の流れを作用させて微細な粒径の液滴を噴霧させるようにしている。
【００１０】
特許文献３は、空気の吸入口と吹出口とを有するケース内にファンおよび二流体ノズルを設けている。このケースは室内に設けられ、ケース内に設けたファンの回転により生ずる気流中に水を誘引するサクション方式の単一ノズルを備えた二流式ノズルを置いてコンパクトな空調装置を構成し、ケースの吹出口から室内に霧を排出するようにしている。
【００１１】
特許文献４も、上記特許文献３と同様、空気流入口と空気流出口とを有するケース内にファンを設け、ファンの駆動により生ずる気流の経路中に二流体ノズルを配置し、コンパクトに構成した加湿装置である。
【考案の概要】
【考案が解決しようとする課題】
【００１２】
特許文献１のものは、エアワッシャ、蒸気加湿器等を用いるようにしており、上記した蒸気加湿方式の欠点に加え、全体として構成が複雑であり、よって設備費を要するという課題がある。
【００１３】
特許文献２のものは大型のコンプレッサを用いるため、設置スペースを必要とし、設置の手間も要する。
【００１４】
特許文献３，４はコンパクトな構成のため、広い空間における使用には不向きである。
【００１５】
総じて加圧式二流体ノズルでの加湿の場合、
ａ、スプレー量を増減させようとすると空気圧も変動するため、気液の圧力コントロールが必要かつ複雑になる。
ｂ、スプレー停止時には水配管の残圧が抜けるまでスプレーし続けてからエアーの供給を止めなけらばならず、瞬時の停止は難しい。
【００１６】
この考案は上記のことに鑑み提案されたもので、その目的とするところはミストを細かくでき空調機内の濡れを防ぎ、かつポンプも不要であり、また、容易にスプレー量を制御できるサイフォン式二流体ノズルを用いた空調機における加湿装置を提供することにある。
【課題を解決するための手段】
【００１７】
請求項１に係る考案は、水が供給されるボールタップ付給水タンク１と、圧縮空気が比例制御弁４を介し供給され、かつ前記ボールタップ付給水配管２を介し吸い上げられ供給されるサイフォン式二流体噴霧ノズル３とを備え、前記圧縮空気が前記二流体噴霧ノズル３のノズル先端のオリフィス通過時に前記水配管２内の水が吸い上げられ、細かいミストとなり前記ノズルからスプレーされることを特徴とする。
請求項２に係る考案は、請求項１記載のサイフォン式二流体噴霧ノズルを用いた空調機における加湿装置において、前記比例制御弁４は、湿度センサ６からの計測信号によって弁４ａの開度量制御され、圧縮空気を前記二流体噴霧ノズル３に送り込むことを特徴とする。
請求項３に係る考案は、請求項１記載のサイフォン式二流体噴霧ノズルを用いた空調機における加湿装置において、前記サイフォン式二流体噴霧ノズル３と前記ボールタップ付タンク１の水面との距離を変更可能としたことを特徴とする。
請求項４に係る考案は、請求項１記載のサイフォン式二流体噴霧ノズルを用いた空調機における加湿装置において、前記ボールタップは定水位弁を備えた水位調整機能付きとしたことを特徴とする。
請求項５に係る考案は、請求項１記載のサイフォン式二流体噴霧ノズルを用いた空調機における加湿装置において、空調機内において空気の流れにのせてスプレーするようにしたことを特徴とする。
請求項６に係る考案は、請求項１記載のサイフォン式二流体噴霧ノズル３の下流側に安全対策としてエリミネータ７Ａを設けたことを特徴とする。
【考案の効果】
【００１８】
本考案によれば、サイフォン式二流体噴霧ノズルを用いているため、粒子径を従来の一流体噴霧ノズルに比べ細かくでき、空調機内部の周辺を濡らすことがない。
また、サイフォン式二流体噴霧ノズルを用いているため、ポンプを設け水の昇圧の必要がなく、設置が簡単である。
さらに、サイフォン式二流体噴霧ノズルは圧縮空気を比例制御弁を介し、供給され、この時、比例制御弁の弁の開度制御でスプレー量を容易に制御できる。
さらにまた、サイフォン式二流体噴霧ノズルを用いているため、ボール付タンク水面からのサイフォンの高さを容易に変更可能としたので、高さを変更することによってもスプレー量を変更できる。また、ボールタップに水位調整機能が付いた定水位弁を用いればタンクは移動させることなくスプレーノズルと水面との調整が可能である。
また、空調機内において空気の流れにのせる向きでスプレーするようにし、スプレー下流側にエリミネータ７Ａを設けるようにしたため、ドレンの排出はなく、あっても僅かですむという効果がある。
【図面の簡単な説明】
【００１９】
【図１】本考案の一実施例に係る空調機における加湿システムの全体構成を示す。
【図２】（ａ）はボールタップ付給水タンクと水配管および水配管と接続された二流体噴霧ノズルの説明図、（ｂ）は水配管とエアー配管が接続され、スプレーしている二流体噴霧ノズルの説明図。
【図３】スプレー量の性能曲線を示す。
【図４】ノズル高さと噴霧量との関係を示す説明図。
【図５】従来の代表的なクリーンルームの構造例を示す。
【考案を実施するための形態】
【００２０】
以下、図面に沿って本考案を説明する。
【００２１】
図１は本考案に係る空調機における加湿装置全体の構成を示す。
【００２２】
図中、１は、水配管２を介し、水道水または純水（以下、本明細書では単に水という）が供給されるボールタップ付給水タンク、３は水配管２の端部に接続された二流体噴霧ノズルで、この二流体噴霧ノズル３は内部にオリフィス（図示せず）を備えている。４はエアー配管５を介し二流体噴霧ノズル３に所定量の圧縮空気を供給する圧縮空気供給系の比例制御弁、４ａはその弁である。
【００２３】
６は室内に設けられた湿度センサ、７は湿度センサ６からの計測信号が送られるデジタル指示調節器で、これにより湿度センサ６からの計測信号が比例制御弁４の弁の開度を制御する開度信号に変換される。
【００２４】
７Ａはエリミネーターで二流体噴霧ノズル３からのスプレー３ａがこのエリミネータ７Ａを介し室内に送られる。
【００２５】
なお、図１において、Ａで囲んだ部分は空調機で、空調機Ａの内部には二流体噴霧ノズル３、エリミネータ７Ａ等が設けられている。この空調機Ａ内に他の機器があっても良い。その他図中ａは圧縮空気、ｂは外気、ｃは室内からの空気の流れ、ｄは水である。そして、本考案では空気の流れにのせて二流体噴霧ノズル３を介しスプレー３ａするようにしている。
【００２６】
上記構成の加湿システムにおいて、圧縮空気ａはエアー配管５を介し比例制御弁４に送られ、さらにエアー配管５を介し二流体噴霧ノズル３に送られる。この二流体噴霧ノズル３にはサイフォン式によるボールタップ付の給水タンク１内の水が水配管２を介し吸引され、スプレー３ａされる。
【００２７】
すなわち、図２（ａ）に示すように、水がボールタップ付給水タンク１に供給されるが、給水タンク１の水位は一定に保たれる。つまり、給水タンク１内の水がスプレー３ａにより消費されても、絶えずボールタップが機能して随時給水され、一定の水位が保たれるということである。
【００２８】
また、二流体噴霧ノズル３には比例制御弁４を介し圧縮空気が供給されスプレー３ａされる。
【００２９】
この状態において、図１に示した湿度センサ６は室内の湿度を計測し、その計測信号がデジタル指示調節器７に入力、処理され、開度信号が比例制御弁４に入力され、その開度信号に応じて比例制御弁４の弁４ａが開き、エアー配管５内に圧縮空気が流れ二流体噴霧ノズル３に供給される。
【００３０】
この時、圧縮空気が二流体噴霧ノズル３のノズル先端に設けられたオリフィス（図示せず）を通過する際に水配管２内の水が吸い上げられて細かいミストとなってスプレー３ａされる。
【００３１】
図２（ａ）はボールタップ付タンク１や水配管２、二流体噴霧ノズル３の接続状態を示す。また、２’は水配管２と二流体噴霧ノズル３とを接続する第２の水配管で、この水配管２’の長さは調節可能としている。すなわち、長さを長くすると二流体噴霧ノズル３の水の吸い上げ高さが高くなる。これは水配管２’を構成する管を継ぎ足せば容易に実現できる。短くすれば吸い上げ高さは低くなる。
【００３２】
その他図２（ａ）において、８はチューブ継手、９は水位、１０は水供給口、１１はオーバーフロー用排水管、１２はドレンである。
【００３３】
図２（ｂ）は二流体噴霧ノズル３部分の状態を示す。１３は二流体噴霧ノズル３の支持部で、第２の配管２’を長くする場合はこの支持部１３の長さも対応して長くすれば良い。
【００３４】
図３はエアー圧力と液量との関係を示す。
【００３５】
エアー圧力が増加すると液量も増加する。このようにエアー圧力に応じ比例制御弁４の弁４ａの開路を調整することで水側のラインに対しポンプを設けなくとも、エアー圧力のみを制御することでスプレー量を容易に変更することができる。
【００３６】
図３はエアー圧力（ＭＰａ）に対する液量（Ｌ／ｈ）を示す。図中、破線Ａ、一点鎖線Ｂ、二点鎖線Ｃ、実線Ｄはそれぞれ型式の異なるタイプの特性を示す。このうちＡタイプは液量が最も多くなっている。どのタイプを選択するかは室内の広さといった使用条件に応じて適宜設定される。図３においてＳＵとは型式のことである。
【００３７】
なお、図２（ａ）で説明したボールタップ付給水タンク１の吸い上げ高さｈを変えること等で二流体噴霧ノズル３のまでの水位の調整が可能である。
【００３８】
また、ボールタップ付給水タンク１の位置を変えることでも二流体噴霧ノズル３までの水位の調整が可能である。
【００３９】
また、ボールタップに水位調整機能が付いた定水位弁を用いることでタンク自体を移動させることなくスプレーノズルと水面との調整も可能である。
【００４０】
図４は性能曲線を示す。この図４は吸い上げ高さｈ、つまりノズル高さｍｍに対する噴霧量Ｌ／ｈを示す。この図から分かるように、二流体噴霧ノズル３の高さ（吸上げ高さｈ）を高くすれば噴霧量が低減し、高さを低くすることで噴霧量が大きくなる。
【００４１】
図４はノズルの高さ（ｍｍ）に対する噴霧量（Ｌ／ｈ）を示す。Ａは空気圧０．４ＭＰａ、Ｂは空気圧０．３ＭＰａ、Ｃは空気圧０．２５ＭＰａとした場合である。タイプＳＵ４．５Ｎ，ＳＵ３．０Ｎ，ＳＵ２．５Ｎ，ＳＵ２．５Ｅ，ＳＵ１．０Ｎ，ＳＵ１．０Ｅなどで性能が異なり、室内の状況に応じ適宜最適なものを選択すれば良い。
【００４２】
図５は代表的なクリーンルームの構造を示す。クリーンルームとしては様々なタイプのものがあるが、高い清浄度を求められるクリーンルームは三層構造となっている。
【００４３】
図５において、１４は既設空調機、１５は既設蒸気制御弁、１６は変換器、１７はコントローラー、１８は給気配管、１９はクリーンルーム、２０はクリーンルーム１９の天井に設置されたヘパフィルタ、２１は湿度センサである。
【００４４】
この建造物では、最下層は床下２２であり、クリーンルーム床２３を介しその上部がクリーンルーム１９となっており、このクリーンルーム１９の上部の天井面に、クリーンルーム１９の広さ、求められる環境に応じ既設空調機１４内で噴霧され加湿された空気が、給気配管１８、ヘパフィルタ２０を通り、クリーンルーム１９内が加湿される。
【００４５】
床下２２に広いスペースがある場合、床下に加湿設備を設置するタイプが主流となっている。
【００４６】
図５において、Ｂで囲んだ部分に示すように、複数個の加湿ノズルユニットが設置され、加湿ノズルは空調機内に入ってくる空気の流れに向ってスプレーをしている。
【００４７】
このため、スプレーしたミストが空気の流れに影響を受けてすぐ戻ってくるため、スプレーノズル自身にミストが当たり、成長して結露、ドレンとなり悪循環となる。
【００４８】
本考案は、クリーンルームなどに設置されている空調機の中で従来の一流体ノズルによる加湿や蒸気加湿に代わるシステムである。
【００４９】
すなわち、本考案においては、図１において、空調機Ａの内部に二流体噴霧ノズル３が設置される。この場合、二流体噴霧ノズル３はミスト粒子径が小さいため、上向きまたは空気の流れにのせる向きでスプレーするように設置される。そして、スプレー下流側には安全対策としてリミネータ７Ａを設置し、これにより万が一蒸発しきれないミストを補捉する機能を持たせている。補足されたミストは空調機内を流れる空気によってエリミネータ７Ａを通過する際に蒸発する。蒸発しきれない場合はドレンとして機外は排出するように設計されるが、本システムではドレンの排出はなく、あっても僅かである。
【００５０】
本考案は図示の実施例に限定されるものではなく、本考案の精神を逸脱しない範囲で種々の設計変更が可能である。
【符号の説明】
【００５１】
１  ボールタップ付タンク
２  水配管
２’  第２の水配管
３  二流体噴霧ノズル
４  比例制御弁
４ａ  弁
５  エアー配管
６  湿度センサ
７  デジタル指示調節器
７Ａ  エリミネータ
８  チューブ継手
９  水位
１０  水供給口
１１  オーバーフロー用排水管
１２  ドレン
１３  二流体噴霧ノズル支持部
１４  既設空調機
１５  既設制御弁
１６  変換器
１７  コントローラー
１８  給気配管
１９  クリーンルーム
２０  ヘパフィルタ
２１  湿度センサ
２２  床下
２３  クリーンルーム床
【図１】
0003218246.tif 000003
【図２】
0003218246.tif 000004
【図３】
0003218246.tif 000005
【図４】
0003218246.tif 000006
【図５】
0003218246.tif 000007
【手続補正書】
【提出日】平成30年7月31日(2018.7.31)
【手続補正１】
【補正対象書類名】実用新案登録請求の範囲
【補正対象項目名】請求項１
【補正方法】変更
【補正の内容】
【請求項１】
水が供給されるボールタップ付給水タンク１と、圧縮空気が比例制御弁４を介し供給され、かつ前記ボールタップ付給水タンク１の水が給水配管２を介し吸い上げられ供給されるサイフォン式二流体噴霧ノズル３とを備え、前記圧縮空気が前記二流体噴霧ノズル３のノズル先端のオリフィス通過時に前記水配管２内の水が吸い上げられ、細かいミストとなり前記ノズルからスプレーされることを特徴とするサイフォン式二流体噴霧ノズルを用いた空調機における加湿装置。
【手続補正２】
【補正対象書類名】実用新案登録請求の範囲
【補正対象項目名】請求項２
【補正方法】変更
【補正の内容】
【請求項２】
請求項１記載のサイフォン式二流体噴霧ノズルを用いた空調機における加湿装置において、前記比例制御弁４は、湿度センサ６からの計測信号によって弁４ａの開度量が制御され、圧縮空気を前記二流体噴霧ノズル３に送り込むことを特徴とするサイフォン式二流体噴霧ノズルを用いた空調機における加湿装置。
【手続補正３】
【補正対象書類名】実用新案登録請求の範囲
【補正対象項目名】請求項３
【補正方法】変更
【補正の内容】
【請求項３】
請求項１記載のサイフォン式二流体噴霧ノズルを用いた空調機における加湿装置において、前記サイフォン式二流体噴霧ノズル３と前記ボールタップ付タンク１の水面との距離を前記ボールタップ付給水タンク１の吸い上げ高さｈを変えるか、前記ボールタップ付給水タンクの位置を変えるか、または前記ボールタップ付給水タンク１のボールタップを水位調整機能付きの定水位弁を用い変更可能としたことを特徴とするサイフォン式二流体噴霧ノズルを用いた空調機における加湿装置。
【手続補正４】
【補正対象書類名】実用新案登録請求の範囲
【補正対象項目名】請求項４
【補正方法】変更
【補正の内容】
【請求項４】
請求項１記載のサイフォン式二流体噴霧ノズルを用いた空調機における加湿装置において、前記ボールタップは定水位弁を備えた水位調整機能付きとしたことを特徴とするサイフォン式二流体噴霧ノズルを用いた空調機における加湿装置。
【手続補正５】
【補正対象書類名】実用新案登録請求の範囲
【補正対象項目名】請求項５
【補正方法】変更
【補正の内容】
【請求項５】
請求項１記載のサイフォン式二流体噴霧ノズルを用いた空調機における加湿装置において、前記二流体噴霧ノズル３のスプレー方向は空気の流れにのせてスプレーするように配設されたことを特徴とするサイフォン式二流体噴霧ノズルを用いた空調機における加湿装置。
【手続補正６】
【補正対象書類名】実用新案登録請求の範囲
【補正対象項目名】請求項６
【補正方法】変更
【補正の内容】
【請求項６】
請求項１記載のサイフォン式二流体噴霧ノズルを用いた空調機における加湿装置において、前記二流体噴霧ノズル３の下流側に安全対策用のエリミネータ７Ａを設けたことを特徴とするサイフォン式二流体噴霧ノズルを用いた空調機における加湿装置。
【手続補正７】
【補正対象書類名】明細書
【補正対象項目名】００１７
【補正方法】変更
【補正の内容】
【００１７】
請求項１に係る考案は、水が供給されるボールタップ付給水タンク１と、圧縮空気が比例制御弁４を介し供給され、かつ前記ボールタップ付給水タンク１の水が給水配管２を介し吸い上げられ供給されるサイフォン式二流体噴霧ノズル３とを備え、前記圧縮空気が前記二流体噴霧ノズル３のノズル先端のオリフィス通過時に前記水配管２内の水が吸い上げられ、細かいミストとなり前記ノズルからスプレーされるサイフォン式二流体噴霧ノズルを用いた空調機における加湿装置であることを特徴とする。
請求項２に係る考案は、請求項１記載のサイフォン式二流体噴霧ノズルを用いた空調機における加湿装置において、前記比例制御弁４は、湿度センサ６からの計測信号によって弁４ａの開度量制御され、圧縮空気を前記二流体噴霧ノズル３に送り込むことを特徴とする。
請求項３に係る考案は、請求項１記載のサイフォン式二流体噴霧ノズルを用いた空調機における加湿装置において、前記サイフォン式二流体噴霧ノズル３と前記ボールタップ付タンク１の水面との距離を前記ボールタップ付給水タンク１の吸い上げ高さｈを変えるか、前記ボールタップ付給水タンクの位置を変えるか、または前記ボールタップ付給水タンク１のボールタップを水位調整機能付きの定水位弁を用い変更可能としたことを特徴とする。
請求項４に係る考案は、請求項１記載のサイフォン式二流体噴霧ノズルを用いた空調機における加湿装置において、前記ボールタップは定水位弁を備えた水位調整機能付きとしたことを特徴とする。
請求項５に係る考案は、請求項１記載のサイフォン式二流体噴霧ノズルを用いた空調機における加湿装置において、空調機内において空気の流れにのせてスプレーするようにしたことを特徴とする。
請求項６に係る考案は、請求項１記載のサイフォン式二流体噴霧ノズルを用いた空調機における加湿装置において前記サイフォン式二流体噴霧ノズル３の下流側に安全対策としてエリミネータ７Ａを設けたことを特徴とする。
【手続補正８】
【補正対象書類名】明細書
【補正対象項目名】００１８
【補正方法】変更
【補正の内容】
【００１８】
本考案によれば、サイフォン式二流体噴霧ノズルを用いているため、粒子径を従来の一流体噴霧ノズルに比べ細かくでき、空調機内部の周辺を濡らすことがない。
また、サイフォン式二流体噴霧ノズルを用いているため、ポンプを設け水の昇圧の必要がなく、設置が簡単である。
さらに、サイフォン式二流体噴霧ノズルは圧縮空気を比例制御弁を介し、供給され、この時、比例制御弁の弁の開度制御でスプレー量を容易に制御できる。
さらにまた、サイフォン式二流体噴霧ノズルとボールタップ付タンクの水面の距離は、ボールタップ付給水タンクの吸い上げ高さを変えたり、ボールタップ付給水タンクの位置を変えたり、ボールタップに水位調整機能が付いた定水位弁を用いればタンクは移動させることなくスプレーノズルと水面との調整が容易に可能である。
また、空調機内において空気の流れにのせる向きでスプレーするようにし、スプレー下流側にエリミネータ７Ａを設けるようにしたため、ドレンの排出はなく、あっても僅かですむという効果がある。
【手続補正９】
【補正対象書類名】明細書
【補正対象項目名】００４０
【補正方法】変更
【補正の内容】
【００４０】
図３は性能曲線を示す。この図３は吸い上げ高さｈ、つまりノズル高さｍｍに対する噴霧量Ｌ／ｈを示す。この図から分かるように、二流体噴霧ノズル３の高さ（吸上げ高さｈ）を高くすれば噴霧量が低減し、高さを低くすることで噴霧量が大きくなる。